(57)【要約】  本発明に係るスライド機構は、スライド方向が変化するレール（７０）が設けられた第１フレーム（３０）と、レール（７０）に沿ってスライドする第２フレーム（４０）と、レール（７０）と第２フレーム（４０）とに対して取り付けられ、回転することで第２フレーム（４０）に対する第１フレーム（３０）のチルト角を変化させるリンク（５０）と、リンクの回転を規制する第１ストッパ（４７）と、第１ストッパ（４７）と異なる方向から、リンクの回転を規制する第２ストッパ（８２）と、を備えるものである。これにより、操作性が高いスライド機構、及び携帯電子機器を提供することができる。
2011145262.tif 000002
【特許請求の範囲】
【請求項１】
スライド方向が変化するスライドレールが設けられた第１フレームと、
前記スライドレールに沿ってスライドする第２フレームと、
前記第１フレームと前記第２フレームのスライド位置に応じて、前記第１フレームと前記第２フレームとの間に付勢力を発生する弾性体と、
前記スライドレールに対して摺動可能に取り付けられ、回転することで前記第２フレームに対する前記第１フレームのチルト角を変化させるリンクと、
前記リンクの回転を規制する第１ストッパと、
前記第１ストッパと異なる方向から、前記リンクの回転を規制する第２ストッパと、を備えるスライド機構。
【請求項２】
第１のスライド位置において、前記第２ストッパの前記リンクに対する当接位置が変化することで、前記リンクが異なる角度になって、チルト角が切り替わることを特徴とする請求項１に記載のスライド機構。
【請求項３】
前記第１ストッパが前記第２フレームに設けられ、
前記第２ストッパが前記第１フレームに設けられていることを特徴とする請求項１、又は２に記載のスライド機構。
【請求項４】
前記弾性体がユーザのスライド操作をアシストする方向に付勢力を発生し、
第１のスライド位置において、前記弾性体の付勢力によって、前記リンクが、前記第１ストッパ及び前記第２ストッパに押し付けられていることを特徴とする請求項１乃至３のいずれか１項に記載のスライド機構。
【請求項５】
第１のスライド位置においてチルト角が大きい状態の場合に、前記リンクが第１回転方向に回転するのが規制され、
前記第１のスライド位置においてチルト角が小さい状態の場合に、前記リンクが第１回転方向に回転するのが規制されていることを特徴とする請求項１乃至３のいずれか１項に記載のスライド機構。
【請求項６】
前記第１のスライド位置においてチルト角が大きい状態の場合に、前記第１ストッパ及び前記第２ストッパが、前記リンクに当接しており、
前記第１のスライド位置においてチルト角が小さい状態の場合に、前記第１ストッパ及び前記第２ストッパが前記リンクに当接していることを特徴とする請求項５に記載のスライド機構。
【請求項７】
前記リンクの第１回転方向の回転を規制する第３ストッパをさらに備え、
第１のスライド位置においてチルト角が大きい状態の場合に、前記第３ストッパが、前記リンクが第１回転方向に回転するのを規制し、
前記第１のスライド位置においてチルト角が小さい状態の場合に、前記第２ストッパが、前記リンクが第１回転方向に回転するのを規制することを特徴とする請求項１乃至４のいずれか１項に記載のスライド機構。
【請求項８】
前記第３ストッパが、前記スライド機構の厚さ方向において前記第１フレームが前記第２フレームに押し込まれる力を受けた際に、前記リンクの回転を規制していることを特徴とする請求項７に記載のスライド機構。
【請求項９】
前記第１フレームに前記弾性体が接続されるバネ土台が設けられ、
前記第２ストッパが前記バネ土台の一部に形成されている請求項１乃至８のいずれか１項に記載のスライド機構。
【請求項１０】
請求項１乃至９のいずれか１項に記載のスライド機構と、
前記第１フレームに取り付けられた第１筺体と、
前記第２フレームに取り付けられた第２筺体と、を備える携帯機器。
【発明の詳細な説明】
【技術分野】
【０００１】
本発明は、スライド機構、及び携帯機器に関するものであり、特に詳しくはチルト構造を有するスライド機構、及び携帯機器に関するものである。
【背景技術】
【０００２】
近年、携帯機器の１つであるスライド型携帯電話機は、電話発信機能、メール機能、メニュー機能、インターネット機能、ゲーム機能、カメラ機能、音楽機能、テレビ機能等を利用する場合、開いた状態、閉じた状態のどちらでも使えるようになっている。【０００３】
図２２Ａは、特許文献１記載のスライド型携帯電話機の閉じた状態である。図２２Ｂは、特許文献１記載のスライド型携帯電話機の開いた状態である。開いた状態において、表示部のある筺体１１０が、キーのある筺体１２０に対して、スライドする。さらに、筺体１１０は、筺体１２０に対して所定のチルト角でチルトしている。このチルト角は例えば、３度〜１０度程度になる。【０００４】
また、チルト角度を設ける別の構造として、特許文献２乃至５が開示されている。通話をするため、スライド型携帯電話機を開いた状態にすると、図２３のようになる。チルト角があると顔にフィットするため、使い易い。さらに、メールをするために、開いた状態にすると図２４Ａに示すようになる。チルト角が付いていると画面が見やすくなる。
【先行技術文献】
【特許文献】
【０００５】
【特許文献１】特開２００６−１８６５７７号公報
【特許文献２】特開２００７−７４４１１号公報
【特許文献３】特開２００７−１３２５０８号公報
【特許文献４】特開２００９−７１５１１号公報
【特許文献５】特開２００９−８８６６７号公報
【発明の概要】
【発明が解決しようとする課題】
【０００６】
しかしながら、満員電車等で使用する場合、図２４Ｂに示すように、腕が狭まる。さらに、手首返しには、限界がある。よって、筺体１１０が筺体１２０に対して、チルトしていると、逆に画面がユーザの顔に近づきすぎてしまう。このため、表示画面が見づらくなってしまう。【０００７】
特許文献５には、図２４Ｃに示すように、チルト角度を０度にする構造が開示されている。しかしながら、特許文献３乃至５の構造では、チルト角度を０度にするための構造が複雑になってしまい、操作が煩雑になってしまう。例えば、特許文献５では、閉状態に戻す際に、一度、チルト角を変える操作を行って、筺体を平行にする。さらに、その後にスライドさせる操作を行っている。【０００８】
本発明は、上記問題点に鑑みてなされたものであり、簡便な構成でチルト角度を変更することができるスライド機構、及び携帯機器を提供することにある。
【課題を解決するための手段】
【０００９】
本発明の一態様によるスライド機構は、
スライド方向が変化するスライドレールが設けられた第１フレームと、
前記スライドレールに沿ってスライドする第２フレームと、
前記第１フレームと前記第２フレームのスライド位置に応じて、前記第１フレームと前記第２フレームとの間に付勢力を発生する弾性体と、
前記スライドレールに対して摺動可能に取り付けられ、回転することで前記第２フレームに対する前記第１フレームのチルト角を変化させるリンクと、
前記リンクの回転を規制する第１ストッパと、
前記第１ストッパと異なる方向から、前記リンクの回転を規制する第２ストッパと、を備えるものである。
【発明の効果】
【００１０】
本発明によれば、簡便な構成でチルト角度を変更することができるスライド機構、及び携帯機器を提供することができる。
【図面の簡単な説明】
【００１１】
【図１Ａ】本実施形態にかかる携帯電話の構成を示す、携帯電話が閉状態における斜視図である。
【図１Ｂ】本実施形態にかかる携帯電話の構成を示す、携帯電話が開状態における斜視図である。
【図２】本実施形態にかかるスライド式携帯電話の構成を示す分解斜視図である。
【図３】ヒンジユニットの構成を示す分解斜視図である。
【図４Ａ】リンク周辺の機構を拡大して示す第１の模式図である。
【図４Ｂ】リンク周辺の機構を拡大して示す第２の模式図である。
【図５】第１フレームの構成を示す斜視図である。
【図６】スライドレールの構成を示す斜視図である。
【図７】リンクの構成を示す斜視図である。
【図８】第２フレームの構成を示す斜視図である。
【図９】アシストバネの構成を示す斜視図である。
【図１０】第２バネ土台の構成を示す斜視図である。
【図１１】携帯電話のスライド動作を説明するための斜視図である。
【図１２】携帯電話のスライド動作とチルト動作を説明するための斜視図である。
【図１３】携帯電話のスライド動作とチルト動作を説明するための斜視図である。
【図１４Ａ】スライド機構のリンク角度を示す模式図である。
【図１４Ｂ】スライド機構のチルト角度を示す模式図である。
【図１５Ａ】高チルト角状態におけるスライド機構の要部構成を拡大して示す模式図である。
【図１５Ｂ】低チルト角状態におけるスライド機構の要部構成を拡大して示す模式図である。
【図１６Ａ】スライド機構のチルト動作を説明するための第１の側面断面図である。
【図１６Ｂ】スライド機構のチルト動作を説明するための第２の側面断面図である。
【図１６Ｃ】スライド機構のチルト動作を説明するための第３の側面断面図である。
【図１６Ｄ】スライド機構のチルト動作を説明するための第４の側面断面図である。
【図１７】実施形態２にかかる携帯電話のスライド動作を説明するための斜視図である。
【図１８】実施形態２にかかる携帯電話のスライド動作とチルト動作を説明するための斜視図である。
【図１９】実施形態２にかかる携帯電話のスライド動作とチルト動作を説明するための斜視図である。
【図２０Ａ】本発明の実施形態２にかかるスライド機構の要部構成を拡大して示す第１の模式図である。
【図２０Ｂ】本発明の実施形態２にかかるスライド機構の要部構成を拡大して示す第２の模式図である。
【図２１】実施形態２にかかる第２バネ土台の構成を示す斜視図である。
【図２２Ａ】特許文献１に記載の携帯電話のチルト機構を示す第１の図である。
【図２２Ｂ】特許文献１に記載の携帯電話のチルト機構を示す第２の図である。
【図２３】特許文献１に記載の携帯電話を示す図である。
【図２４Ａ】特許文献１に記載のチルト動作を説明する第１の図である。
【図２４Ｂ】特許文献１に記載のチルト動作を説明する第２の図である。
【図２４Ｃ】特許文献１に記載のチルト動作を説明する第３の図である。
【発明を実施するための形態】
【００１２】
以下、本発明を適用した実施形態の一例について説明する。なお、以降の図における各部材のサイズや比率は、説明の便宜上のものであり、実際のものとは必ずしも一致しない。
【００１３】
実施の形態１．
図１Ａ及び図１Ｂにおいて、本発明の実施形態にかかる携帯機器の一例である携帯電話の構成を示し斜視図を示す。本実施の形態にかかる携帯電話は、スライド式の携帯電話１である。図１Ａは、携帯電話が閉じた状態（以下、閉状態）を示し、図１Ｂは開いた状態（以下、開状態）を示している。携帯電話は、第１筺体１０と第２筺体２０とを備えている。第１筺体１０には、表示部１１が設けられている。表示部１１は、液晶ディスプレイ、有機ＥＬディスプレイなどの表示装置を備えている。また、第２筺体２０には、入力キーなどを備える入力部２１が設けられている。また、第１筺体１０と第２筺体２０には、携帯電話の各種機能（電話発信機能、メール機能、メニュー機能、インターネット機能、ゲーム機能、カメラ機能、音楽機能、テレビ機能等）を実現するためのマイクロフォン、スピーカ、メモリ、アンテナ、電池、通信やソフト動作に必要な半導体部品、それを実装する基板、外部接続コネクタ、振動モータ等の主要な部品が内蔵されている。
【００１４】
第１筺体１０と第２筺体２０は、略同じ大きさの略直方体形状になっている。閉状態では、第１筺体１０と第２筺体２０が重ね合わされた状態となっており、第１筺体１０及び第２筺体２０のそれぞれが他方の筺体から、はみ出していない。換言すると、閉状態では、携帯電話１の外形は、略直方体になっている。そして、表示部１１が表面側（第１筺体１０の第２筺体側と反対側の面）に配置され、開状態、及び閉状態のいずれでも、視認可能となっている。入力部２１は、第２筺体２０の第１筺体側の面に配設されている。従って、閉状態では、入力部２１が、第１筺体１０の裏面側と対向して、隠れた状態となる。
【００１５】
第１筺体１０は、第２の筺体２０に対して、矢印Ａ方向にスライド可能に支持されている。具体的には、第１筺体１０に設けられたスライドレール（図１Ａ及び図１Ｂでは図示せず）に沿って、第２筺体２０がスライド可能に設けられている。従って、ユーザが第２筺体２０を把持した状態で、第１筺体１０に力を与えると、第１筺体１０がスライドする。これにより、携帯電話１が、開状態から閉状態、あるいはその反対となる。以下の説明では、閉状態から開状態に移行する際のスライド方向を伸びる方向とし、開状態から閉状態に移行する際のスライド方向を縮む方向と称する。また、スライド位置の一端で携帯電話１が開状態になり、スライド位置が他端で閉状態になる。換言すると、第１のスライド端まで移動することで開状態となり、第１のスライド端と反対側のスライド端まで移動することで、閉状態となる。このように、スライド機構のスライド範囲に応じて、携帯電話１が開状態から閉状態まで変化する。
【００１６】
なお、開状態にすることによって、入力部２１が現れるため、ユーザが入力キー等を操作することができるようになる。表示部１１に平行なスライド方向を、携帯電話１の長さ方向とする。表示部１１の表示面に垂直な方向を、携帯電話１の厚さ方向とする。さらに、長さ方向と厚さ方向に垂直な方向を携帯電話１の幅方向とする。
【００１７】
さらに、携帯電話１は、チルト機構を有している。従って、閉状態において、第２筺体２０と平行であった第１筺体１０が、開状態になると矢印Ｂの方向にチルトする。第１筺体１０をスライドさせていくと、その途中で第１筺体１０が第２筺体２０に対して徐々にチルトしていくことになる。このように、携帯電話１は、チルトスライド機構を有している。
【００１８】
次に、図２を用いて、携帯電話１のスライド機構に付いて、説明する。図２は、携帯電話の構成を示す分解斜視図である。第１筺体１０の裏面側には、第１フレーム３０が取り付けられている。第１フレーム３０には、ネジ穴３１が設けられている。そして、第１筺体１０の裏面側に設けられたネジボス（図示せず）とネジ穴３１とで、第１フレーム３０と第１筺体１０がネジ固定される。
【００１９】
また、第２筺体２０の表側には、ネジ穴２２が設けられている。また、第２フレーム４０には、ネジボス４１が設けられている。ネジ穴２２とネジボス４１とで、第２フレーム４０と第２筺体２０がネジ固定される。第１フレーム３０と第２フレーム４０は、ヒンジユニット１００を構成するヒンジフレームである。ヒンジユニット１００はチルト付きのスライド機構（チルトスライド機構）である。すなわち、第２フレーム４０に対して、第１フレーム３０がチルトする。第２フレーム４０は、第１フレーム３０をスライド可能に支持している。第２フレーム４０に対する第１フレーム３０の相対位置が、変化することで、携帯電話１がスライド動作を行う。換言すると、第１フレーム３０を第２フレーム４０に対してスライドさせると、第１フレーム３０に取り付けられた第１筺体１０が第２フレーム４０に取り付けられた第２筺体２０に対してスライドする。なお、第１フレーム３０と第２フレーム４０のスライド動作は相対的なものであるため、一方のフレームを把持すると、他方のフレームがスライドする。
【００２０】
次に、ヒンジユニット１００の詳細な構成について図３乃至図１０を用いて説明する。図３は、ヒンジユニット１００の構成を示す分解斜視図である。図３に示すように、ヒンジユニット１００は、第１フレーム３０と、第２フレーム４０と、リンク５０と、アシストバネ６０と、レール７０と、第１バネ土台８０と、を備えている。図４Ａ及び図４Ｂは、ヒンジユニットのリンク５０近傍の構成を拡大して示す斜視図である。図４Ａでは、リンク５０とストッパが当接する様子を示している。図４Ｂは、説明のため、リンク５０を取り除いた状態を示している。図５は、第１フレーム３０の構成を示す斜視図である。図６は、レール７０の構成を示す斜視図である。図７は、リンク５０の構成を示す斜視図である。図８は、第２フレーム４０の構成を示す斜視図である。図９は、バネ受けが取り付けられたアシストバネ６０の構成を示す斜視図である。図１０は、第１バネ土台８０の構成を示す斜視図である。以下の説明では、適宜部品の図面を参照して説明する。
【００２１】
第１フレーム３０は、両端が立ち上がった板状の部材である。従って、平板の両端に、Ｌ字型の側壁が設けられる。第１フレーム３０は、板金プレス品、金属モールド品、樹脂モールド品、金属と樹脂の一体成型品などである。ここでは、第１フレーム３０は、両側をＬ時に折り曲げた断面コの字形状の板金部品である。第１フレーム３０にはネジ穴３１、切欠３２、及び長穴３３が設けられている。中央の長穴３３は、フレキシブル基板の通り穴である。すなわち、長穴３３には、第１筺体１０内に設けられた電子回路等と接続されるＦＰＣ（Ｆｌｅｘｉｂｌｅ  Ｐｒｉｎｔｅｄ  Ｃｉｒｃｕｉｔｓ）等が挿入される。フレキシブル基板は、例えば、第１筺体１０と第２筺体２０との間の電気信号の伝達に用いられる。
【００２２】
第１フレーム３０の両端には、それぞれレール７０が設けられる。レール７０は長手方向を有する棒状部材である。また、２つのレール７０は、実質的に同一形状の部材である。そして、レール７０の一面には、長手方向に沿った溝７１が設けられている。レール７０は、例えば、板金プレス鍛造品、金属モールド品、樹脂モールド品、金属と樹脂の一体成型品である。ここでは、レール７０は、断面コの字形状の板金鍛造部品である。２つのレール７０は、スライド方向に沿って、平行に配置されている。レール７０に沿って、第２フレーム４０がスライド移動する。図６に示すように、レール７０には、位置決め部７３が形成されている。位置決め部７３を切欠３２に位置合わせすることで、位置精度よくレール７０を第１フレーム３０に取り付けることができる。第１フレーム３０とレール７０は、溶接、ネジ止め、又は一体成形などにより接続される。
【００２３】
一対のレール７０は、溝７１が向き合うように並設されている。レール７０に設けられた溝７１に、第１ピン５１、第２ピン４２、及び第３ピン４３が配設される。そして、第１ピン５１、第２ピン４２、及び第３ピン４３がレール７０に沿って、摺動する。これにより、第２フレーム４０が第１フレーム３０に対してスライドする。さらに、チルト動作をさせるために、レール７０の溝７１には、屈曲部７２が設けられている。すなわち、屈曲部７２において、溝７１の方向が変わるため、溝７１は、くの字型となる。開状態へとスライド移動する際に、携帯電話１の厚み方向において、例えば、第１ピン５１の位置が、第２筺体２０から離れていく。携帯電話１の厚み方向において、第１筺体１０の先端が、第２筺体２０から離れるようにスライドする。このようにして、チルトスライド動作が行われる。
【００２４】
ここで、溝７１のうち、屈曲部７２よりも右側を直線部７１ａとし、左側をチルト部７１ｂとする。閉状態において、直線部７１ａは、第２筺体２０の表面に対してほぼ平行になっている。チルト部７１ｂは、直線部７１ａに対して傾斜している。閉状態では、第１ピン５１、第２ピン４２、及び第３ピン４３が直線部７１ａにある。これにより、第１ピン５１、第２ピン、及び第３ピン４３が第２筺体２０の表面に対して同じ高さとなる。開状態では、第１ピン５１が直線部７１ａにあり、第２ピン４２が屈曲部７２近傍にあり、第３ピン４３がチルト部７１ｂにある。従って、第２筺体２０の表面に対する第１ピン５１の高さが、第２ピン４２、及び第３ピン４３の高さと異なっている。これにより、開状態では、第１筺体１０が第２筺体２０に対してチルトする。第３ピン４３が直線部７１ａを越えて、屈曲部７２に移動していくと、第１ピン５１が高くなっていく。すなわち、厚さ方向における第２筺体２０の表面から第１ピン５１までの距離が大きくなっていく。これにより、スライド動作の途中から、第２筺体２０に対して第１筺体１０が徐々にチルトすることとなる。
【００２５】
リンク５０は、２つのレール７０に接続されている。すなわち、リンク５０は、レール７０に対して摺動可能に取り付けられている。リンク５０は、板金プレス品、金属モールド品、樹脂モールド品、金属と樹脂の一体成形品などである。ここでは、リンク５０を板状の金属部品としている。リンク５０は、長手方向を有する部材であり、レール７０と垂直に配設されている。従って、リンク５０の一端が一方のレール７０に取り付けられ、他端が他方のレール７０に取り付けられる。図７に示すように、リンク５０は、ベース部５０ａとリブ５０ｂとを有している。ベース部５０ａは、レール７０と垂直方向、すなわち、携帯電話１の幅方向に沿った部分である。ベース部５０ａの両端には、リブ５０ｂがそれぞれ設けられている。２つのリブ５０ｂからは、第１ピン５１、及び軸５２が突出している。第１ピン５１、及び軸５２は、それぞれリブ５０ｂから外側に向けて突出した円柱形状である。
【００２６】
従って、第１ピン５１、及び軸５２はリンク５０の両端にそれぞれ配設されている。第１ピン５１は溝７１に挿入される。溝７１に対して若干のクリアランスを持つよう、溝７１の幅と第１ピン５１の直径が設計されている。これにより、第１ピン５１が溝７１に対して摺動する。第１ピン５１は、板金プレス品、金属モールド品、樹脂モールド品、金属と樹脂の一体成形品などである。リンク５０と第１ピン５１は、一体品、溶接、打ち込みなどにより接続される。リブ５０ｂには、第１ピン５１と軸５２が並設されている。軸５２は、第１ピン５１よりも第２フレーム４０側に配設されている。軸５２は、第１ピン５１より低くなっている。軸５２は、第２フレーム４０の軸穴４４に挿入される。リンク５０は、軸５２に対して偏心している。
【００２７】
第２フレーム４０は、レール７０に近接する両端が立ち上がった枠状の部材である。第２フレーム４０は、板金プレス品、金属モールド品、樹脂モールド品、金属と樹脂の一体成形品などである。第２フレーム４０は、第１フレーム３０の下に配置される。第２フレームには、ネジボス４１と、第２ピン４２と、第３ピン４３と、軸穴４４と、第２バネ土台４５と、第１ストッパ４７と、が設けられている。第２ピン４２は、第２フレーム４０の両端にそれぞれ設けられる。第３ピン４３も同様に、第２フレーム４０の両端にそれぞれ設けられる。第２ピン４２、及び第３ピン４３は、外側に突出した円柱形状を有している。第２ピン４２、及び第３ピン４３は、溝７１内に突出しており、溝７１に対して摺動する。すなわち、第２ピン４２、及び第３ピン４３は、上記の通り、溝７１に挿入される。溝７１内部において、第２ピン４２は第３ピン４３と第１ピン５１との間に配置される。第２ピン４２、第３ピン４３は、板金プレス品、金属モールド品、樹脂モールド品、金属と樹脂の一体成形品などである。第２フレーム４０と第２ピン４２、第３ピン４３は、一体品、溶接、打ち込みなどにより接続される。
【００２８】
第１ピン５１、第２ピン４２、第３ピン４３がレール７０の溝７１に、スライド可能に接続されている。すなわち、第１フレーム３０に設けられたレール７０に対して、第２フレーム４０が摺動する。
【００２９】
また、第２フレーム４０には２つの軸穴４４が設けられている。第２フレーム４０の角近傍において、２つの軸穴４４は同軸上に配置される。軸穴４４は、上記のように、リンク５０の軸５２が挿入される。そして、軸５２は円柱の中心軸を回転軸として、リンク５０が第２フレーム４０に対して回転する。すなわち、第２フレーム４０は、リンク５０を回転可能に支持している。リンク５０が起き上がると、チルト角が大きくなり、リンク５０が倒れるとチルト角が小さくなる。さらに、第２フレーム４０には、チルト角度を制御する第１ストッパ４７が設けられている。第１ストッパ４７は、軸穴４４の近傍に配置されている。この第１ストッパ４７がリンク５０と当接することで、リンク５０の回転が規制される。これにより、チルト角度を制限することができる。
【００３０】
さらに、第２フレーム４０の角近傍には、第２バネ土台４５が設けられている。第２バネ土台４５は、第２フレーム４０の一部からなる。第２バネ土台４５には、アシストバネ６０を受ける第２バネ受け４６が取り付けられる。第２バネ受け４６は、金属モールド品、樹脂モールド品などである。第２バネ土台４５と第２バネ受け４６は、嵌合により接続される。第２バネ受け４６には、アシストバネ６０が接続される。
【００３１】
第２バネ土台４５において、アシストバネ６０が第２バネ受け４６を介して、第２フレーム４０に取り付けられている。アシストバネ６０は、金属品である。アシストバネ６０と第２バネ受け４６は嵌合により接続される。アシストバネ６０は、スライド位置に応じた付勢力を発生する弾性体である。具体的には、アシストバネ６０がユーザのスライド操作をアシストする方向に付勢力を発生する。もちろん、バネ以外の弾性体を用いて第１フレーム３０と第２フレーム４０の間に付勢力を発生させても良い。
【００３２】
アシストバネ６０の中央には、金属線が渦巻き状に巻かれた渦巻き部６１が設けられている。そして、渦巻き部６１からアシストバネ６０の一端６２までは、金属線がほぼ直線状に延びている。さらに、渦巻き部６１からアシストバネ６０の他端６３までは、金属線がほぼ直線状に延びている。そして、渦巻き部６１から一端６２に延びる金属線と、渦巻き部６１から他端６３まで延びる金属線の角度は傾いている。ここでは、渦巻き部６１から一端６２に延びる金属線と、渦巻き部６１から他端６３まで延びる金属線の角度がほぼ直交しており、Ｌ字型になっている。そして、Ｌ字型の角部に渦巻き部６１が配置されている。アシストバネ６０の他端６３には、第２バネ受け４６が接続される。
【００３３】
アシストバネ６０の一端６２には、第１バネ受け８１が接続される。アシストバネ６０の先端が第１バネ受け８１に設けられた穴に挿入される。これにより、第１バネ受け８１がアシストバネ６０を保持する。また、第１バネ受け８１に設けられた凹部によって、第１バネ受け８１が第１バネ土台８０に取り付けられる。第１バネ土台８０は、第１フレーム３０の下に配置されている。第１バネ土台８０は、板金のプレス品、金属モールド品、樹脂モールド品、金属と樹脂の一体成形品などである。第１バネ土台８０は、第１フレーム３０に溶接、一体成形などされている。第１バネ受け８１は、金属モールド品、樹脂モールド品などである。第１バネ土台８０と第１バネ受け８１は、嵌合により接続されている。
【００３４】
このように、アシストバネ６０の一端６２は、第１バネ受け８１を介して、第１フレーム３０に取り付けられる。また、アシストバネ６０の他端６３は、第２バネ受け４６を介して、第２フレーム４０に取り付けられる。アシストバネ６０の先端が第２バネ受け４６に設けられた穴に挿入される。これにより、第２バネ受け４６がアシストバネ６０を保持する。また、第２バネ受け４６に設けられた凹部によって、第２バネ受け４６が第２バネ土台４５に取り付けられる。
【００３５】
このように、第１フレーム３０と第２フレーム４０は、アシストバネ６０を介して接続される。これにより、第１フレーム３０と第２フレーム４０間に、付勢力が発生する。このアシストバネ６０によって、ユーザのスライド操作がアシストされる。例えば、閉状態と開状態の中間のスライド位置が基準位置となっており、スライドを基準位置からずらすことにより、いずれかのスライド方向に付勢力が発生する。中間位置から開状態にスライドさせようとすると、スライドを伸ばす方向に付勢力が発生する。一方、中間位置から閉状態になるようにスライドさせるようとすると、スライドを縮める方向に付勢力が発生する。このように、アシストバネ６０は、ユーザのスライド操作をアシストする。
【００３６】
第１バネ土台８０は、第１フレーム３０に取り付けられる。第１バネ土台８０には、第１バネ受け８１を保持する切欠が設けられている。第１バネ土台８０には、第２ストッパ８２が設けられている。第２ストッパ８２は、リンク５０と当接することで、リンク５０の回転が規制される。これにより、チルト角度を制限することができる。第２ストッパ８２は、開状態の近傍において、リンク５０と当接する。すなわち、第１バネ土台８０は、第１フレーム３０に取り付けられているため、開状態から離れた状態では、第２ストッパ８２は、リンク５０と当接しない。
【００３７】
例えば、開状態では、図４Ａに示すように、第１ストッパ４７とリブ５０ｂが当接する。これにより、第２フレーム４０に対するリンク５０の回転が規制される。さらに、第２ストッパ８２と、ベース部５０ａが当接する。これにより、第２フレーム４０に対するリンク５０の回転が規制される。第１ストッパ４７、及び第２ストッパ８２は、リンク５０が起き上がる方向、すなわち、チルト角が大きくなる方向の回転を規制している。このように、開状態において、ストッパ４７及びストッパ８２がリンク５０と接触することで、チルト角が大きくなるのを規制している。また、この時、スライドはスライド動作のストロークエンド、すなわち、スライド端の位置にある。第１ストッパ４７、第２ストッパ８２がリンク５０に当接することによって、伸びる方向側のスライド端が規定されている。もちろん、第３ピン４３によって伸びる方向側のスライド端を規定しても良い。第１ストッパ４７、及び第２ストッパ８２は、異なる位置で、異なる方向から、リンク５０の回転を規制している。
【００３８】
次に、図１１を用いて携帯電話１のスライド操作について説明する。図１１（ａ）では、携帯電話１が閉状態となっている。そして、閉状態となっている携帯電話１に、図１１（ａ）の矢印方向の力を加えてスライドさせると、図１１（ｂ）に示すように開状態となる。この状態では、携帯電話１はチルト角が大きい状態（以下、高チルト角状態とする）となっている。さらに、図１１（ｂ）の矢印方向に力を加えてスライドさせると、図１１（ｃ）に示すように閉状態となる。
【００３９】
図１２を用いて、スライド操作とチルト操作について説明する。図１１（ａ）で示したように、スライドさせると、携帯電話１は図１２（ａ）の閉状態から図１２（ｂ）に示す開状態となる。ここでは、高チルト角状態となっている。この状態で、例えば、表示部１１を押して、図１２（ｂ）に示す矢印方向に力を加える。すなわち、携帯電話１の厚さ方向に力を与えて、第１筺体１０を第２筺体２０の方向に押し込む。これにより、図１２（ｃ）に示すようにチルト角が小さくなる。この状態を低チルト角状態とする。図１２（ｃ）に示す矢印のように、縮む方向にスライドさせると、図１２（ｄ）のように閉状態となる。
【００４０】
図１３を用いて、スライド操作とチルト動作について説明する。図１１（ａ）で示したようにスライドさせると、携帯電話１は図１３（ａ）の閉状態から図１３（ｂ）に示す開状態となる。ここでは、高チルト角状態となっている。この状態で、図１２（ｂ）で示したように、表示部１１を押すと、図１３（ｃ）に示すようにチルト角が小さくなる。携帯電話１はこの状態では低チルト角状態となっている。図１３（ｃ）に示す矢印方向に、第１筺体１０を、軽く引き込んでから放す。例えば、スライド方向に微小距離だけ第１筺体１０を引き込んでから放す。こうすると、図１３（ｄ）に示すように、高チルト角状態に戻る。さらに、図１３（ｄ）に示す矢印方向にスライドさせると、図１３（ｅ）のように閉状態となる。
【００４１】
上記の動作における、リンク５０の角度とチルト角について説明する。まず、図１４Ａ、図１４Ｂに示すように、リンク角θと、チルト角αを定義する。リンク角θは、第２筺体２０の表面に対する、リンク５０の角度であり、チルト角αは、第２筺体２０の表面と第１筺体１０の裏面とのなす角度である。図１４Ａにおいて、リンク角θは、反時計周りでリンク５０から第２筺体２０の表面までの角度となる。
【００４２】
高チルト角状態では、携帯電話１は図１５Ａのようになる。高チルト角状態では、伸ばす方向にアシストバネ６０の付勢力が加わっている。高チルト角状態のリンク角をリンク角θ１とし、チルト角をチルト角α１とする。ここでは、第１ストッパ４７が、リンク５０の前方面と当接している。また、第２ストッパ８２は、リンク５０の後方面と当接している。なお、図１４Ａ、図１４Ｂ、図１５Ａ及び図１５Ｂにおいて、リンク５０の右側がスライド方向における前方となり、リンク５０の左側がスライド方向における後方となっている。従って、図１４Ａ、図１４Ｂ、図１５Ａ及び図１５Ｂ中で右側を前方、左側を後方と称する。
【００４３】
低チルト角状態では、携帯電話１は図１５Ｂのようになる。低チルト角状態のリンク角をリンク角θ２とし、チルト角をチルト角α２とする。ここでは、第２ストッパ８２は、リンク５０の前方面で、リンク５０と当接している。リンク角θ２は、リンク角θ１よりも小さくなっている。すなわち、低チルト角状態では、高チルト角状態よりもリンク５０が倒れている。高チルト角状態と低チルト角状態とでは、スライド位置が略同じになっているか、わずかにスライドしている。従って、高チルト角状態のスライド位置は、低チルト角状態のスライド位置と同じか近接している。すなわち、高チルト角状態と低チルト角状態とでは、スライド位置が実質的にスライド端になっている。
【００４４】
次に、スライド操作とチルト操作による動作について、図１６Ａ〜図１６Ｄを用いて説明する。ユーザが閉状態からスライドさせると、携帯電話１は図１６Ａに示す開状態になる。図１６Ａは、高チルト角状態を示している。開状態にするためにスライドさせていくと、第１ストッパ４７がリンク５０と接触する。さらに、第２ストッパ８２がリンク５０と接触する。これにより、スライドが停止する。第１ストッパ４７と第２ストッパ８２はリンク５０が起き上がるのを規制している。そして、この状態で、アシストバネ６０の付勢力は、伸ばす方向に発生している。アシストバネ６０による付勢力によって、リンク５０が第１ストッパ４７、及び第２ストッパ８２に押し付けられる。アシストバネ６０の付勢力によって、リンク５０がそれぞれ第１ストッパ４７、及び第２ストッパ８２に押し当てられ、リンク角θ１が維持される。よって、高チルト角状態となる。
【００４５】
そして、ユーザが、チルト角を変化させるために、第１筺体１０を第２筺体２０の方向（図１６Ａの矢印方向）に押す。すると、ユーザによって与えられた力が、アシストバネ６０の付勢力に勝り、第２ストッパ８２の前方で接触しているリンク５０が回転する。よって、リンク角θ１が小さくなる方向に移動する。すなわち、第２ストッパ８２とリンク５０の接触がわずかに外れ、リンク５０が可動状態となる（図１６Ｂ参照）。このとき、第１ピン５１、第２ピン４２、及び第３ピン４３に対してレール７０が若干スライド移動する。そして、リンク５０がスライドに追従して回転する（図１６Ｂ中の円形矢印）。すなわち、リンク５０が第２ストッパ８２と近接しながら、倒れる方向に回転する。レール７０の溝７１に沿って、リンク５０が倒れる方向に回転する。このように、ユーザが押すことで、第１ストッパ４７と第２ストッパ８２がリンク５０から一旦離れて、リンク角が変化する。
【００４６】
そして、図１６Ｃに示すように、第２ストッパ８２による規制をかわすまでスライドする。これにより、第２ストッパ８２の前方面から離れる程度にリンク５０が回転する。ユーザが第１筺体１０を押す操作を止めると、図１６Ｄの矢印に示すように、アシストバネ６０の付勢力によって、伸びる方向にスライドする。すると、リンク５０が起き上がろうと回転する。このとき、リンク５０が第２ストッパ８２の後方で当接する。さらに、リンク５０が第１バネ受け８１に、あるいは、第１バネ受け８１近傍に、当接する。この場合、第１バネ受け８１が、第２ストッパ８２の一部として機能する。さらに、第１ストッパ４７がリンク５０と当接している。
【００４７】
これにより、リンク５０の起き上がる方向に回転するのが停止する。すなわち、チルト角度が大きくなるのを第２ストッパ８２、第１ストッパ４７が防ぐ。アシストバネ６０の付勢力によるスライドも停止する。このように、アシストバネ６０からの付勢力によって、第１ストッパ４７及び第２ストッパ８２にリンク５０が押し付けられる。この状態では、図１６Ｄの矢印方向に、第１フレーム３０に対するアシストバネ６０の付勢力が発生している。よって、スライドが伸びる方向に付勢力が与えられている。アシストバネ６０の付勢力によって、リンク５０が第２ストッパ８２に押し付けられる。これにより、リンク角θ２が維持され、低チルト角状態となる。
【００４８】
このように、第１ストッパ４７と第２ストッパ８２によって、リンクの回転を規制している。これにより、簡便な操作でチルト角の変更が可能になる。よって、操作性を向上することができる。また、高チルト角状態と、低チルト角状態は、ほぼ同じスライド位置になっている。このため、いずれのチルト状態でもあって、入力部２１の入力キーによる入力が可能になる。
【００４９】
なお、第１ストッパ４７は、第２フレーム４０に対して設けられている。もちろん、第１ストッパ４７を第２フレーム４０と別部品としてもよい。この場合、第１ストッパ４７を第２フレーム４０に設ける。また、第２ストッパ８２は、第１フレーム３０に設けられている。すなわち、第２ストッパ８２は、第１フレーム３０に対して、第１バネ土台８０を介して取り付けられている。すなわち、第２ストッパ８２は、第１フレーム３０に対して固定されている。もちろん、第２ストッパ８２と第１フレーム３０とを一体品として形成しても良い。このようにすることで、簡便な構成で操作性を向上することができる。なお、各ストッパをリンク５０の両端に対して設けることが好ましい。この場合、第１ストッパ４７と第２ストッパ８２のそれぞれが、２つずつ設けられる。
【００５０】
さらに、高チルト角状態と低チルト角状態では、異なる角度でリンク５０が第２ストッパ８２と接触する。このとき、第２ストッパ８２のリンク５０が接触する位置が異なっている。具体的には、高チルト角状態では、図７で示したベース部５０ａの前方の面で接触し、低チルト角状態では、後方の面で接触する。さらに、第２ストッパ８２は、リンク５０が起き上がる方向に回転するのを規制している。これにより、高チルト角状態及び低チルト角状態を維持することができる。
【００５１】
上記の構成によれば、簡単に、チルト角度の切り替えができる。すなわち、表示部１１のある第１筺体１０の面を、軽く押すだけで、チルト角度を切り替えることができる。また、表示部のある筺体を、閉じる方向へ軽く引き込んでから、離すだけで、チルト角度を切り替えることができる。
【００５２】
さらに、上記の構成によれば、携帯電話１を薄型化できる。筺体と干渉をしないように設けられたアシストバネ６０の可動エリア内に、第１ストッパ４７、及び第２ストッパ８２を配置している。さらに、第１ストッパ４７、及び第２ストッパ８２は、すでにある部品の一部で構成できる。具体的には、第１ストッパ４７は、第２フレーム４０の一部であり、第２ストッパ８２は、第１バネ土台８０の一部として形成されている。このため、携帯電話１を薄型化できる。
【００５３】
実施の形態２．
本実施の形態にかかる携帯電話のスライド機構について、図１７乃至図２１を用いて説明する。図１７は、携帯電話のスライド操作を示す図である。図１８は、スライド操作とチルト操作を示す図である。図１９は、スライド操作とチルト操作を示す図である。なお、本実施形態にかかる携帯電話のスライド機構の基本的構成は、実施の形態１と同様であるため適宜説明を省略する。本実施の形態では、チルト角度を変更するユーザ操作が異なっている。そのため、図２０Ａ、図２０Ｂ、及び図２１に示すように、第１バネ土台８０に、第２ストッパ８２だけでなく、第３ストッパ８３が形成されている。なお、第３ストッパ８３と第２ストッパ８２は、第１バネ土台８０と一体的に形成されていても良い。
【００５４】
本実施形態では、チルト角を変化させる操作、及びその操作に伴う動作が実施の形態１と異なっている。スライド操作による動作は、図１７に示すように、実施の形態１と同様である。すなわち、図１１で示した動作によって、開状態から閉状態、あるいは閉状態から開状態へと切り替わる。
【００５５】
本実施の形態では、図１８（ｂ）に示す開状態から、チルト角を変化させる場合の操作が実施の形態１と異なっている。本実施形態では、第１筺体１０を引き込んだ後、押し込むことで、高チルト角状態から低チルト角状態となる。従って、高チルト角状態で、第１筺体１０を第２筺体２０に押し込んでも、チルト角が変化しない。この動作については後述する。
【００５６】
高チルト角状態から低チルト角状態にする場合、ユーザが、第１筺体１０を軽く引き込んだ後、軽く押して、押し込む。これにより、携帯電話１は図１８（ｂ）に示す高チルト角状態から、図１８（ｃ）に示す低チルト角状態となる。具体的には、まず、ユーザが第１筺体１０を若干縮む方向にスライドさせる。これにより、後述するように、リンク５０が第３ストッパ８３から解放される。この状態で、第１筺体１０を第２筺体２０に対して押し込む。こうすることで、リンク５０が回転して、低チルト角状態に移行する。低チルト角状態から、縮む方向にスライドさせることで、閉状態となる（図１８（ｄ））。
【００５７】
次に、低チルト角状態から高チルト角状態にする場合の操作について、図１９を用いて説明する。まず、図１８（ａ）〜図１８（ｃ）と同様に、高チルト角状態を経て、低チルト角状態とする（図１９（ａ）〜図１９（ｃ））。そして、実施の形態１と同様に、ユーザが第１筺体１０を軽く引き込んでから離す。これにより、図１９（ｄ）に示すように、高チルト角状態に戻る。そして、縮む方向にスライドさせると、図１９（ｅ）に示す、閉状態となる。
【００５８】
チルト角を変更する際の、リンク５０の動作について、図２０Ａ、図２０Ｂ及び図２１を用いて説明する。本実施形態では、図２１に示すように、第１バネ土台８０の形状が実施の形態１と異なっている。すなわち、第１バネ土台８０に第２ストッパ８２と第３ストッパ８３が設けられている。第３ストッパ８３は、第２ストッパ８２よりも前方側に配置される。そして、第２ストッパ８２と第３ストッパ８３とで、断面がコの字型の溝が形成される。そして、この溝内に、リンク５０のベース部５０ａが入り込む（図２０Ａ参照）。すなわち、第２ストッパ８２と第３ストッパ８３の間に、リンク５０の先端が入り込む。したがって、リンク５０が第３ストッパ８３と当接する。このとき、第２ストッパ８２とリンク５０が当接していてもよい。
【００５９】
具体的には、開状態では、図２０Ａに示すように、リンク角θ３が鈍角になっている。リンク５０のベース部５０ａが第３ストッパ８３と第２ストッパ８２が形成するコの字部分に入り込んでいる。このため、開状態で第１筺体１０を第２筺体２０の方向に押し込んでも、リンク５０は回転しない。これにより、第１筺体１０が押されても、高チルト角状態が維持される。よって、ユーザが意図せぬ操作によって、チルト角が変化するのを防ぐことができる。例えば、偶然に第１筺体１０が押されたとしても、チルト角が変化しない。これにより、操作性を向上することができる。
【００６０】
高チルト角状態で、縮む方向にスライドさせると、リンク５０が第３ストッパ８３及び第１ストッパ４７から解放される。これにより、リンク５０が回転可能な可動状態となる。縮む方向にスライドさせたことによって、レール７０に対する第１ピン５１、第２ピン４２、及び第３ピン４３の位置が変化する。よって、チルト角が変わり、リンク５０が反時計回りに回転する。ここでは、リンク５０が鉛直に立ってリンク角θ４が９０度になった後、リンク角θ４が鋭角になる。そして、ユーザが力を与えるのを止めると、アシストバネ６０の付勢力によって、リンク５０が第２ストッパ８２に対して伸びる方向の力を加える。これにより、図２０Ｂに示す状態となる。この状態では、図１５Ｂと同様に、第２ストッパ８２がリンク５０と当接して、回転方向を規制している。なお、低チルト角状態から高チルト角状態にする場合は、実施の形態１と同様にユーザが操作する。こうすることで、一旦、第２ストッパ８２、及び第１ストッパ４７からリンク５０が解放する。そして、図１５Ａに示す状態に戻る。
【００６１】
本実施の形態では、厚さ方向において、第１筺体１０が第２筺体２０の方向に押された場合のリンク５０の回転が第３ストッパ８３によって、規制される。すなわち、第３ストッパ８３が、厚さ方向において第１フレーム３０が第２フレーム４０に押し込まれる力を受けた際に、リンク５０の回転を規制している。従って、偶然に第１筺体１０が押されたとしても、チルト角が変化しない。これにより、操作性を向上することができる。さらに、同じ部品に第２ストッパ８２と第３ストッパ８３を形成することで、部品点数を少なくすることができる。
【００６２】
上記の構成によれば、簡単に、チルト角度の切り替えができる。すなわち、表示部１１のある第１筺体１０の表示面を、縮む方向に軽く引き込んだ後、押すだけで、チルト角度を切り替えることができる。また、表示部１１のある第１筺体１０を、縮む方向へ軽く引き込んでから、離すだけで、低チルト角状態から高チルト角状態を切り替えることができる。さらに、開状態から閉状態にするには、縮む方向に引き込めば良い。よって、操作性を向上することができる。
【００６３】
さらに、上記の構成によれば、携帯電話１を薄型化できる。筺体と干渉をしないように設けられたアシストバネ６０の可動エリア内に、第１ストッパ４７、第２ストッパ８２、及び第２ストッパ８３を配置している。さらに、第１ストッパ４７、第２ストッパ８２、及び第２ストッパ８３は、すでにある部品の一部で構成できる。具体的には、第１ストッパ４７は、第２フレーム４０の一部であり、第２ストッパ８２及び第３ストッパ８３は、第１バネ土台８０の一部として形成されている。このため、携帯電話１を薄型化できる。
【００６４】
実施形態１，２に示したように、リンク５０が動作することで、チルト角を簡便に変化させることができる。すなわち、一度の操作で、チルト角が変化するため、操作性を向上することができる。なお、実施の形態１，２を適宜組み合わせても良い。もちろん、上記のスライド構造は、携帯電話１に限らず、他の携帯型電子機器に用いることが可能である。携帯ゲーム機、携帯コンピューター、携帯音楽プレイヤー、卓上コンピューター、テレビ／ビデオ／クーラーなどの各種リモコン、その他の、携帯電子機器において実施してもよい。表示部１１のある第１筺体１０と、入力キーのある第２筺体２０に、一定のチルト角度が設けてあるスライド型携帯電話機において、チルト角度の切り替えを容易に行うことができる。
【００６５】
以上、実施の形態を参照して本願発明を説明したが、本願発明は上記によって限定されるものではない。本願発明の構成や詳細には、発明のスコープ内で当業者が理解し得る様々な変更をすることができる。
【００６６】
この出願は、２０１０年５月２０日に出願された日本出願特願２０１０−１１６１２４を基礎とする優先権を主張し、その開示の全てをここに取り込む。
【産業上の利用可能性】
【００６７】
本発明にかかる技術は、携帯機器などに利用できる。
【符号の説明】
【００６８】
１  携帯電話
１０  第１筺体
１１  表示部
２０  第２筺体
２１  入力部
２２  ネジ穴
３０  第１フレーム
３１  ネジ穴
３２  切欠
３３  長穴
４０  第２フレーム
４１  ネジボス
４２  第２ピン
４３  第３ピン
４４  軸穴
４５  第２バネ土台
４６  第２バネ受け
４７  第１ストッパ
５０  リンク
５０ａ  ベース部
５０ｂ  リブ
５１  第１ピン
５２  軸
６０  アシストバネ
６１  渦巻き部
６２  一端
６３  他端
７０  レール
７１  スライド溝
７１ａ  直線部
７１ｂ  チルト部
７２  屈曲部
７３  固定部
８０  第１バネ土台
８１  第１バネ受け
８２  第２ストッパ
８３  第３ストッパ
１００  ヒンジユニット
１１０  第１筺体
１２０  第２筺体
【図１Ａ】
2011145262.tif 000003
【図１Ｂ】
2011145262.tif 000004
【図２】
2011145262.tif 000005
【図３】
2011145262.tif 000006
【図４Ａ】
2011145262.tif 000007
【図４Ｂ】
2011145262.tif 000008
【図５】
2011145262.tif 000009
【図６】
2011145262.tif 000010
【図７】
2011145262.tif 000011
【図８】
2011145262.tif 000012
【図９】
2011145262.tif 000013
【図１０】
2011145262.tif 000014
【図１１】
2011145262.tif 000015
【図１２】
2011145262.tif 000016
【図１３】
2011145262.tif 000017
【図１４Ａ】
2011145262.tif 000018
【図１４Ｂ】
2011145262.tif 000019
【図１５Ａ】
2011145262.tif 000020
【図１５Ｂ】
2011145262.tif 000021
【図１６Ａ】
2011145262.tif 000022
【図１６Ｂ】
2011145262.tif 000023
【図１６Ｃ】
2011145262.tif 000024
【図１６Ｄ】
2011145262.tif 000025
【図１７】
2011145262.tif 000026
【図１８】
2011145262.tif 000027
【図１９】
2011145262.tif 000028
【図２０Ａ】
2011145262.tif 000029
【図２０Ｂ】
2011145262.tif 000030
【図２１】
2011145262.tif 000031
【図２２Ａ】
2011145262.tif 000032
【図２２Ｂ】
2011145262.tif 000033
【図２３】
2011145262.tif 000034
【図２４Ａ】
2011145262.tif 000035
【図２４Ｂ】
2011145262.tif 000036
【図２４Ｃ】
2011145262.tif 000037
【国際調査報告】
2011145262.tif 000038
2011145262.tif 000039